(57)【要約】      （修正有）【課題】キーホルダーのアクセサリー部材として規格品のエアーチューブ接続用継手を使用して面白みのあるキーホルダーを提供する。【解決手段】ホルダー部材３と、アクセサリー部材であるエアーチューブ接続用の接続孔を有する継手部材４と、ホルダー部材３と継手部材４を連結する連結ピンＰと、を有してなるキーホルダーであって、接続孔にはエアーチューブを係止する規格で定められた係止部が設けられ、連結ピンＰには係止部と係合する係合凹部２１が形成され、係止部と係合凹部２１を係合させ連結ピンを継手部材に装着することによりホルダー部材３と継手部材４が連結され、継手部材４は係止部と係合凹部２１との係合を解除する規格の解除手段４１を備え、解除手段４１により係止部と係合部２１の係合が解除されると連結ピンＰが取り外し可能となり、ホルダー部材３と継手部材４との連結を解除できる構造とした。 【選択図】図１
0003218012.tif 000002
【実用新案登録請求の範囲】
【請求項１】
ホルダー部材（３）と、
アクセサリー部材であるエアーチューブ接続用の接続孔（４３）を有する継手部材（４）と、
前記ホルダー部材（３）と前記継手部材（４）を連結する連結ピン（Ｐ）と、を有してなるキーホルダーであって、
前記連結ピン（Ｐ）は、頭部（１）とシリンダー部（２）とで構成され、
前記頭部（１）には、前記ホルダー部材（３）が貫通する貫通孔（１１）が設けられ、
前記接続孔（４３）には、エアーチューブが接続された際に当該エアーチューブを係止する規格で定められた係止部（４２）が設けられており、
前記シリンダー部（２）には、前記係止部（４２）と係合する係合凹部（２１）が形成されており、
前記継手部材（４）の前記接続孔（４３）に前記連結ピンのシリンダー部（２）を挿入し前記係止部（４２）と前記係合凹部（２１）を係合させ、連結ピンを前記継手部材に装着することにより、前記ホルダー部材（３）と前記継手部材（４）とが連結され、
更に、前記継手部材（４）は、前記係止部（４２）と前記係合凹部（２１）との係合を解除する規格の解除手段（４１）を備え、
前記解除手段（４１）により前記係止部（４２）と前記係合部（２１）の係合が解除されると前記接続孔（４３）に装着されている前記連結ピン（Ｐ）が前記継手部材（４）から取り外し可能となり、前記ホルダー部材（３）と前記継手部材（４）との連結を解除することができることを特徴とするキーホルダー。
【請求項２】
キーが取り付けられた複数のホルダー部材（３）のうち少なくとも１つのホルダー部材（３）に取り付けられた前記連結ピンの頭部（１）と反対側の前記シリンダー部（２）の先端部（２２）に、メガネアームの緩み修正用の細径ドライバー（２２ａ、２２ｂ）を有していることを特徴とする、請求項１に記載されたキーホルダー。
【考案の詳細な説明】
【技術分野】
【０００１】
本考案は、キーホルダーに関する。
【背景技術】
【０００２】
従来のキーホルダーは、キーを取り付けておくホルダー部と当該ホルダー部にアクセサリー（「アクセサリー部材」という場合がある）を取り付けて見栄えを良くしたものが多い。また、アクセサリーについては製作者又は需要者の好みや要求に応じて多種多様なものがホルダー部に取り付けられている（特許文献１、特許文献２）。
【０００３】
特許文献１に記載された考案では、ホルダー部に相当するホルダーリングに、ナット５を介してアクセサリーとして、実際に使用された新幹線の廃棄レールを所定の長さにカットしそれに加工を施したものを取り付けたキーホルダーが開示されている。
【０００４】
また、特許文献２には、ホルダー部に相当するキー保持手段３に、チェーン３ｂを介してアクセサリーとして、液晶ディスプレイ１９等をケース本体１に入れて取り付けたキーホルダーが開示されている。そして、特許文献２に記載された考案では、液晶ディスプレイ１９がアクセサリーとしてのみではなく、実際に液晶画面で表示される画像等を楽しむことができる等、実用的な機能を有する製品としてキーホルダーに取り付けられている内容が開示されている。
このように、キーホルダーには、実際に使用されていたものを加工したものや又はその物自体実用的な機能を有する製品等が取り付けられていることが多々ある。
【先行技術文献】
【特許文献】
【０００５】
【特許文献１】登録実用新案公報第３１７７３６５号
【特許文献２】登録実用新案公報第３１７３１１２号
【考案の概要】
【考案が解決しようとする課題】
【０００６】
しかし、従来、キーホルダーに使用されていたアクセサリーは、上述したように新幹線の廃棄レールを加工したものやケース本体に入れられた液晶ディスプレイ等のように、通常誰もがキーホルダーのアクセサリーとしての転用を考えつくものであり、また単にアクセサリーのみの機能しかないため面白みに欠けていた。
また、キーホルダーに取り付けられたアクセサリーは、一度ホルダー部材に取り付けられると、キーホルダーを使用しなくなるか又はアクセサリーが壊れるかしない限り交換することはない。特許文献１又は特許文献２に記載された考案では、ホルダー部材とアクセサリーとを連結する連結部材としてはナット５又はチェーン３ｂが用いられているが、これらはアクセサリーが交換されないことを前提として用いられているものである。
つまり、従来のキーホルダーは、キーが取り付けられたホルダー部材とアクセサリーとが着脱自在ではない構成となっていた。
そのため、アクセサリーにキーを取り付けて、当該アクセサリーからキーを取り外してキーを使用できるようなキーホルダーは存在しなった。
【０００７】
そこで、本考案はこの様な問題に鑑みなされたものであり、その目的は、規格品であるエアーチューブを接続するための継手部材（以下、「継手部材」という場合がある）が複数のキーを取り付けるのに好適な複数の枝部（エアーチューブを複数接続するための接続孔）を有していることに着目して、この継手部材をアクセサリー部材として利用することにより、面白みがあり、かつアクセサリー部材から簡単にキーを取り外してキーのみを使用することができるキーホルダーを提供することにある。
【０００８】
更に、上述したエアーチューブを接続するための継手部材をキーホルダーのアクセサリー部材として使用し、当該継手部材の枝部にエアーチューブ接続用の接続孔が設けられていることを利用して、キーが取り付けられたホルダー部材とアクセサリー部材とが簡単に着脱可能となる、使い勝手の良いキーホルダーを提供することにある。
【課題を解決するための手段】
【０００９】
上記課題を解決するために、本考案の第１の態様に係るキーホルダーは、ホルダー部材と、アクセサリー部材であるエアーチューブ接続用の接続孔を有する継手部材と、
前記ホルダー部材と前記継手部材を連結する連結ピンと、を有してなるキーホルダーであって、前記連結ピンは、頭部とシリンダー部とで構成され、前記頭部には、前記ホルダー部材が貫通する貫通孔が設けられ、前記接続孔には、エアーチューブが接続された際に当該エアーチューブを係止する規格で定められた係止部が設けられており、前記シリンダー部には、前記係止部と係合する係合凹部が形成されており、前記継手部材の前記接続孔に前記連結ピンのシリンダー部を挿入し前記係止部と前記係合凹部を係合させ、連結ピンを前記継手部材に装着することにより、前記ホルダー部材と前記継手部材とが連結され、更に、前記継手部材は、前記係止部と前記係合凹部との係合を解除する規格の解除手段を備え、前記解除手段により前記係止部と前記係合部の係合が解除されると前記接続孔に装着されている前記連結ピンが前記継手部材から取り外し可能となり、前記ホルダー部材と前記継手部材との連結を解除することができることを特徴とする。
【００１０】
ここで、本態様でアクセサリー部材として用いられるエアーチューブ接続用の接続孔を有する量産品である継手部材について説明する。
量産品である規格品の継手部材には、枝部にエアーチューブ接続用の接続孔が設けられているので、エアーチューブを接続する際は、当該接続孔にエアーチューブを挿入して接続し（このときエアーチューブは接続孔に設けられた係止部で係止されている）、エアーチューブを取り外す際は、継手部材に設けられている解除手段を用いてエアーチューブと前記係止部による係止を解除することにより、接続孔からエアーチューブを取り外すことができる構造になっている。
【００１１】
そして、接続孔に設けられている係止部には、規格化された径方向内側に向かって突出する突条のバネが使用される。そのため、素材が柔軟性を有するエアーチューブであれば、接続孔にエアーチューブを押し込むことにより、バネの径方向の内側に向かって働く付勢力によりエアーチューブ表面が抑えられエアーチューブが接続孔から外れない構造になっている。
一方、継手部材は規格で設けられている解除手段を有しており、これを作用させることにより、エアーチューブと係止部の一態様であるバネとの係合を解くことで（エアーチューブ表面がバネの抑えから解放されることにより）、エアーチューブを接続孔から簡単に取り外すことができる構造になっている。
上述したようにエアーチューブ接続用の継手には、規格として接続孔にエアーチューブを挿入するだけで簡単に接続でき、解除手段を作用させるだけで接続孔からエアーチューブを簡単に取り外すことができる、すなわち、ワンタッチで接続孔にエアーチューブを着脱できる機構（着脱機構）が備えられている。
【００１２】
本態様ではアクセサリー部材として、上述したエアーチューブ接続用の接続孔を有する規格品である継手部材（以下、単に「継手」という場合がある）を用いる。当該継手をアクセサリー部材として用いるという斬新性により、キーホルダーとして面白みが出る。
【００１３】
また、本態様では、エアーチューブの代わりにホルダー部材が取り付けられた連結ピンを用い、接続孔を利用して当該接続孔に連結ピンを挿入することにより、継手部材とホルダー部材とを連結することにより、キーホルダーとしている。
【００１４】
ここで、エアーチューブであれば素材が柔軟性を有しているので、係止部を構成する突条のバネの径方向の内側に向かって働く付勢力でエアーチューブをしっかり抑えることができるが、金属製または硬質な素材でできた連結ピンであれば、その表面が硬いためバネの前記付勢力だけで連結ピンを抑えきれず、滑って抜けてしまう虞がある。
【００１５】
そこで、本態様の連結ピンは、接続孔に挿入されるシリンダー部に係合凹部を形成し、接続孔に設けられた係止部を構成する突条のバネと前記係合凹部が係合する構成とし、連結ピンが滑って抜けない構造とした。つまり、本態様は、上述したエアーチューブを着脱できる機構（着脱機構）を利用するため、シリンダー部に係合凹部を形成した点に特徴がある。
なお、当該構造であっても係止部を構成する突条のバネと前記係合凹部の係合解除は、規格化された解除手段を作用させることにより、係止部を構成する突条のバネとシリンダーに形成された係合部の係合を解除することで、継手に設けられた接続孔から連結ピンが引き抜き可能となり、継手とホルダー部材の連結をワンタッチで解除することができる。
【００１６】
以上のように、本態様では継手のエアーチューブを着脱できる機構及び接続孔を利用して継手とキーホルダーのホルダー部材との連結を「連結ピン」を介してなすものとすることにより、アクセサリー部材（継手）のワンタッチでの着脱を可能とし使い勝手を改善している。
つまり、従来のキーホルダーでは、キーをホルダー部材から取り外したり取り付けたりするのが面倒であり、キーのみを取り外して使用することができなかったが、本態様では、アクセサリー部材をワンタッチでホルダー部材から取り外すことができることにより、キーのみを使用することが可能となる。
【００１７】
本考案の第２の態様に係るキーホルダーは、キーが取り付けられた複数のホルダー部材のうち少なくとも１つのホルダー部材に取り付けられた前記連結ピンの頭部と反対側の前記シリンダー部の先端部に、メガネアームの緩み修正用の細径ドライバーを有していることを特徴とする。
【００１８】
本態様によれば、アクセサリー部材である継手部材とキーが取り付けられているホルダー部材の連結が解除、すなわち、アクセサリー部材から連結ピンが引き抜かれた後は、シリンダー部の先端部がドライバー形状を有しているので、連結ピン自体がドライバーとして使用できる。
特に、メガネのフレームに使用されている小さなネジの緩み修正用の細径ドライバーは通常は携帯して持ち歩くようなことはしないが、本態様は、キーホルダーにドライバー機能を付加することにより、メガネのフレームに使用されている小さなネジの緩み修正にも対応できるドライバーを携帯できるという効果を有している。
【考案の効果】
【００１９】
本考案によれば、継手部材をアクセサリー部材として利用することにより、面白みがあり、かつアクセサリー部材から簡単にキーを取り外してキーのみを使用することができるキーホルダーを提供することができる。
【図面の簡単な説明】
【００２０】
【図１】（ａ）は、本考案の第１実施形態に係るキーホルダーの斜視図。（ｂ）は、本考案に係るキーホルダーにおけるホルダー部材と連結ピンの斜視図。
【図２】（ａ）は、本考案に係るキーホルダーのホルダー部材と連結ピンの正面図。（ｂ）は、本考案に係るキーホルダーのホルダー部材と連結ピンの右側面図。
【図３】（ａ）〜（ｃ）は、本考案の第１実施形態に係るキーホルダーにおけるアクセサリー部と連結ピンの装着方法を示した図。
【図４】（ａ）、（ｂ）は、本考案の第１実施形態に係るキーホルダーにおけるアクセサリー部からの連結ピンを取り外す方法を示した図。
【図５】本考案の第１実施形態に係るキーホルダーの解除手段の概略図。
【図６】（ａ）は、解除手段が作用していない際の係止部の状態を示す平面図。（ｂ）は、解除手段が作用している際の係止部の状態を示す平面図。
【図７】（ａ）〜（ｃ）は、アクセサリー部が異なる本考案の他の実施形態に係るキーホルダーの斜視図。
【図８】（ａ）本考案に係るキーホルダーの連結ピンの端部がマイナス形状に形成されている態様のホルダー部材と連結ピンの斜視図。（ｂ）本考案に係るキーホルダーの連結ピンの端部がプラス形状に形成されている態様のホルダー部材と連結ピンの斜視図。
【考案を実施するための形態】
【００２１】
以下、図面を参照しながら本考案に係るキーホルダーの実施形態について説明するが、本考案は当該実施形態に限定されるものではない。
また、図面の記載においては、同一部分には同一の符号を付している。
【００２２】
まず、図１から図６を参照にしながら、本考案に係るキーホルダーの第１実施形態について説明する。
図１（ａ）は、本考案に係るキーホルダーの第１実施形態の斜視図である。また、図（ｂ）は、本考案に係るキーホルダーの第１実施形態のホルダー部材と連結ピンの斜視図である
【００２３】
本態様におけるキーホルダーＫは、キー（鍵）を取り付けるホルダー部材であるホルダーリング３とホルダーリング３に取り付けられた連結ピンＰとアクセサリー部材としての継手４で構成されている。
本態様の継手４は、エアーチューブを接続するためのいわゆる管継手と言われるものであり、ストレートタイプの継手４が用いられている。継手４は両端にエアーチューブやホース等を接続する接続孔４３（図３（ａ）参照）が設けられており、本態様では当該両接続孔４３に連結ピンＰがそれぞれ装着されている。すなわち、もともと継手４に設けられている接続孔４３を連結ピンＰと継手４とを連結するために用いた構成となっている。
【００２４】
連結ピンＰは図１（ｂ）に示すように、ホルダーリング３に取り付けられている。図２（ａ）、（ｂ）も参照にしながら、ホルダーリング３及び連結ピンＰについて説明する。図２（ａ）は、ホルダーリング３に連結ピンＰが取り付けられた状態での正面図であり、図２（ｂ）は、ホルダーリング３に連結ピンＰが取り付けられた状態での右側面図である。
【００２５】
ホルダーリング３は、キー（鍵）を取り付けるためのホルダー部材の一態様であるが、リング形状の物に限らない。例えば三角形形状、四角形形状、星形形状等の多角形形状又は動物等の形状をしているものであっても良い。
【００２６】
連結ピンＰは円柱状の頭部１と、頭部１の先に延設された直径が頭部１よりも小さいシリンダー部２とから構成されている。シリンダー部２には、頭部１側の基端と先端部２２との間にシリンダー部２の周方向に凹形状の係合部２１が形成されている。
【００２７】
連結ピンＰの頭部１には、貫通孔１１が設けられており、当該貫通孔１１にホルダーリング３を通すことにより連結ピンＰがホルダーリング３に取り付けられる構造になっている。貫通孔１１へのホルダーリング３の取り付け方は、金属を細い棒状に加工したものをコイル状に形成したホルダーリング３の始点Ｒｓ（図２（ｂ）参照）の部分を摘まんで図面右側方向に引っ張って拡げ、始点Ｒｓの部分を貫通孔１１に挿入し、ホルダーリング３あるいは連結ピンＰをホルダーリング３の終点Ｒｅが貫通孔１１を通過するまで回すことにより、ホルダーリング３に連結ピンＰが取り付けられる。
【００２８】
ここで、ホルダーリング３の素材については、金属製のみならず合成樹脂製のものであっても構わない。ホルダー機能を有し所定の強度を有するものであれば素材は問わない。
また、連結ピンＰの素材については金属製であることが好ましいが合成樹脂製のものであってもよい。所定の強度、硬度を有するものであればよい。
【００２９】
次に、図３〜図６を参照しながらアクセサリー部材の一態様である継手４の構成と継手４に連結ピンＰを着脱する方法を説明する。
図３には継手４に連結ピンＰを装着する方法が、図４には継手４から連結ピンＰを取り外す方法が記載されている。また、図５には、継手４に備えられている解除手段の概略図が示されており、図６には、継手４に設けられた解除手段が作用していない際の係止部の状態（図６（ａ））と解除手段が作用している際の状態（図６（ｂ））を接続孔４３側から見た平面図が記載されている。
【００３０】
本態様の継手４は、継手本体部４０と両端にエアーチューブやホース等を接続する接続孔４３を有している。また、継手４の内部には、連結ピンＰのシリンダー部２の周方向に形成された凹形状の係合部２１と係合する被係合部の一態様である係止部４２が設けられている。
【００３１】
規格化されている係止部４２は、図６（ａ）に示すように、接続孔４３の奥側（図３（ａ）参照）に径方向内側に向かって突形状の突片（本態様でバネ部材）が複数継手本体４０の内周面から突出するように同一円周状に設けられている。また、係止部４２（バネ部材）は弾性を有し径方向内側に向かって付勢力が働く構造であり、解除手段４１の一部であるフランジを継手４の中心方向に押し込むと（図４（ａ）参照）径方向外側に広がって、図６（ｂ）に示しように接続孔４３側からはほとんど見えなくなる構造になっている。
図５を参照して説明すると、接続孔４３には、円筒状に形成されその一端側にはフランジが外鍔状に周設され、他端側４３１は係止部４２（バネ部材）と接触する解除手段４１が摺動可能に設けられている。そして、フランジを押し込んだ時（左側向きの矢印）係止部４２（バネ部材）と接触してバネ部材を径方向外側に押し広げ（図６（ｂ））、フランジの押し込みを解除するとバネの付勢力によりフランジが押し戻され（右側向きの矢印）、係止部４２（バネ部材）が径方向内側に向かって突形状の突片を突出させる状態となる（図６（ａ））ように構成されている。
【００３２】
ここで、継手４に連結ピンＰを着脱する方法を説明する。なお、本態様では、継手４には接続孔４３が両端に２か所設けられているが、着脱の方法は２か所とも同じなので、１か所の着脱の方法を説明し２か所目の着脱の方法の説明は省略することとする。
【００３３】
図３（ａ）に示されている継手４の右側の接続孔４３に、ホルダーリング３が取り付けられている連結ピンＰを装着する方法を説明する。
継手４に設けられた接続孔４３に、連結ピンＰのシリンダー部２を先端部２２から挿入する（図３（ｂ）の矢印部分）。シリンダー部２の挿入を続けると先端が継手本体４０内部（接続孔４３の奥側）に設けられた係止部４２（バネ部材）と接触する。
更にシリンダー部２を押し込むと、前述したように突形状の突片を複数有している係止部４２（バネ部材）は弾性を有しているため径方向外側に拡がるように移動し（図６（ｂ）参照）、シリンダー部２の先端部２２の周面に付勢力を働かせながら接触しつつ、シリンダー部２に形成された凹形状の係合部２１が係止部４２（バネ部材）の位置にきたときに、バネ部材の付勢力により、径方向内側に移動して凹形状の係合部２１の凹部に係止部４２（バネ部材）の突形状の突片が係合（嵌合）する。
以上の操作により、連結ピンＰを継手４の接続孔４３に装着する。継手４の左側の接続孔４３も同様な方法で連結ピンＰを装着する（図３（ｃ））。
【００３４】
以上の様にして連結ピンＰが継手４の接続孔４３装着されることにより、ホルダーリング３と継手部材４とが連結され、図３（ｃ）示したように本態様のキーホルダーＫが完成する。本態様では、連結ピンＰのシリンダー部２を接続孔４３に挿入するというワンタッチの動作で、ホルダーリング３と継手４を連結することが可能である。
なお、継手４の係止部４２（バネ部材）とシリンダー部２に形成された係合部２１が係合しているため、連結ピンＰから継手４が外れることはない。すなわち、ホルダー部材であるホルダーリング３からアクセサリー部材である継手４が外れることはない。
【００３５】
次に、図４（ａ）に示された本態様のキーホルダーＫにおいて、継手４の右側の接続孔４３（図４（ｂ）参照）から、ホルダーリング３が取り付けられている連結ピンＰを取り外す方法を説明する。
図４（ａ）において、最初に解除手段４１を継手４中央部に向かって押し込む（（ｉ）の操作）。この操作により、前述したように継手４に設けられた係止部４２（バネ部材）の突形状の突片が、径方向外側に拡がるように移動するため（図６（ｂ）参照）、係止部４２（バネ部材）と連結ピンＰのシリンダー部２に形成された凹形状の係合部２１との係合が解除される。そこで、解除手段４１を継手４中央部に向かって押し込んだ状態で、ホルダーリング３が取り付けられている連結ピンＰを引き抜く（（ｉｉ）の操作）。
これらの操作により継手４から連結ピンＰを取り外すことができる。なお、継手４の左側の接続孔４３も同様な方法で連結ピンＰを引き抜くことにより、継手４から連結ピンＰを取り外すことができる（図４（ｂ））。そして、引き抜いた連結ピンＰのホルダーリング３に取り付けられたキー（図示せず）を使用することが可能である
また、前述したように係止部４２（バネ部材）と連結ピンＰのシリンダー部２に形成された凹形状の係合部２１との係合解除は、解除手段４１を継手４中央部に向かって押し込むというワンタッチの動作で行うことが可能である。
【００３６】
以上、説明したように本態様のキーホルダーＫは、継手４に元々設けられているエアーチューブ等の着脱機能を利用することにより、アクセサリー部材としての継手４から引き抜いた連結ピンＰのホルダーリング３に取り付けられているキー（図示せず）のみを使用することができる構造である。
【００３７】
図７には、アクセサリー部材である継手の種類を交換した、本考案の他の実施形態に係るキーホルダーＫ１からＫ３の態様が示されている。
キーホルダーＫ１で使用されている継手５及びキーホルダーＫ２で使用されている継手６は、ともに接続孔が３つ設けられているが接続孔の分岐の形態が異なる。継手５はいわゆるＹ字型の構造であり、継手６はＴ字型の構造をしている。
キーホルダーＫ３で使用されている継手７は、接続孔が５つ設けられている形態のものである。
なお、連結ピンＰの着脱については第１実施態様と同様なのでその説明は省略することとする。
【００３８】
図８は、本考案に係るキーホルダーの連結ピンＰの先端部２２を他の形状に加工した態様を示している。
図８（ａ）は、連結ピンＰの先端部２２の形状をマイナス形状２２ａとしたものであり、図８（ｂ）は、連結ピンＰの先端部２２の形状をプラス形状２２ｂとしたものである。
このように、連結ピンＰの先端部２２の形状を、マイナス形状２２ａ又はプラス形状２２ｂとすることで、アクセサリー部材を連結ピンＰから外すことにより、連結ピンＰ自体をドライバーとして使用することができる。このように、キーホルダーにドライバー機能を付加することにより、メガネのフレームに使用されている小さなネジにも対応できる細径ドライバーを携帯できるという効果を有している。
【産業上の利用可能性】
【００３９】
上述したように、本考案は、継手部材をアクセサリー部材として利用することにより、面白みがあり、かつアクセサリー部材から簡単にキーを取り外してキーのみを使用することができるキーホルダーを提供することができるので、新たなキーホルダーの分野に用途展開できる。
【符号の説明】
【００４０】
１      ：頭部
２      ：シリンダー部
３      ：ホルダーリング
４      ：継手
５、６、７：継手
１１    ：貫通孔
２１    ：係合部
２２    ：先端部
４０    ：継手本体
４１    ：解除手段
４２    ：係止部
４３    ：接続孔
Ｋ      ：キーホルダー
Ｋ１、Ｋ２、Ｋ３：キーホルダー
Ｐ      ：連結ピン
【図１】
0003218012.tif 000003
【図２】
0003218012.tif 000004
【図３】
0003218012.tif 000005
【図４】
0003218012.tif 000006
【図５】
0003218012.tif 000007
【図６】
0003218012.tif 000008
【図７】
0003218012.tif 000009
【図８】
0003218012.tif 000010